(57)【要約】【課題】製品購入後、初めて交流電源を本体に接続する際も高速に起動することができる情報処理装置及び情報処理方法を提供する。【解決手段】外部から交流電流が供給されると電源を出力する電源部と不揮発性メモリと揮発性メモリと不揮発性メモリと揮発性メモリとが接続され、電源部から電源が供給されると、不揮発性メモリから揮発性メモリへプログラムを転送するべく制御する制御部をもつ情報処理装置。【選択図】      図１
2008140027.tif 000002
【特許請求の範囲】
【請求項１】
外部から交流電流が供給されると電圧を出力する電源部と、
不揮発性メモリと、
揮発性メモリと、
前記不揮発性メモリと前記揮発性メモリとが接続され、前記電源部から前記電圧が供給されると、前記不揮発性メモリから前記揮発性メモリへプログラムを転送するべく制御する制御部を具備することを特徴とする情報処理装置。
【請求項２】
前記制御部は、操作信号を受けて、前記揮発性メモリに格納された前記プログラムを実行することを特徴とする請求項１記載の情報処理装置。
【請求項３】
前記制御部は、前記プログラムを実行することにより、与えられる情報の情報処理を行なうことを特徴とする請求項１記載の情報処理装置。
【請求項４】
外部から交流電流が供給されるとこれを変換して第１制御部とこれとは異なる第２制御部に電圧を出力する電源部と、
不揮発性メモリと、
揮発性メモリと、
前記電源部から前記電圧が供給されると、前記電源部を制御することで前記不揮発性メモリ、前記揮発性メモリ、前記第２制御部に電圧を供給させる第１制御部と、
前記不揮発性メモリと前記揮発性メモリとが接続され、前記第１制御部の制御により前記電源部から電圧を供給されると前記不揮発性メモリから前記揮発性メモリへプログラムを転送する制御が可能な第２制御部を具備することを特徴とする情報処理装置。
【請求項５】
前記電源部は、前記第１制御部に前記電圧を供給する第１電源部と、前記第２制御部に前記電圧を供給する第２電源部と、前記揮発性メモリに前記電圧を供給する第３電源部に分離していることを特徴とする請求項４記載の情報処理装置。
【請求項６】
前記第２制御部は、操作信号を受けて、前記揮発性メモリに格納された前記プログラムを実行することを特徴とする請求項４記載の情報処理装置。
【請求項７】
前記第１制御部は、再び、前記第２制御部への前記電圧の供給を中断するべく制御することを特徴とする請求項４記載の情報処理装置。
【請求項８】
前記第２制御部に制御され、放送信号を復調して音声映像信号を出力するチューナ部と、
前記第２制御部に制御され、前記音声映像信号を復号する復号部と、
前記復号された映像信号に応じた映像を表示する表示部と、
を更に有することを特徴とする情報処理装置。
【請求項９】
電源部と不揮発性メモリと揮発性メモリと制御部を有する情報処理装置の電圧を制御する電源制御方法であって、
前記電源部から前記制御部に電圧が供給されると、前記不揮発性メモリに格納されたプログラムを前記揮発性メモリに転送することを特徴とする電源制御方法。
【発明の詳細な説明】
【技術分野】
【０００１】
この発明は、情報処理装置の電源供給及び情報処理装置の電源制御方法に関する。
【背景技術】
【０００２】
近年、各種の情報処理装置が開発され普及してきており、これらの付加機能についても多くのことが要望されてきている。特に、情報処理装置の電源部においては、ＯＳ（Operation System）プログラムを高速に起動させるための工夫が望まれている。
【０００３】
特許文献１は、スタンバイモードに入ると同時に、その内容をＨＤＤ（Hard Disc Driver）にも記録している。これにより、スタンバイモード中にＡＣ電源が継続して供給されていた場合は、次回はメモリの内容を使用して高速に起動することができる。また、途中にＡＣ電源が途切れることがあった場合には、ＨＤＤの内容をメモリにコピーし、それを使用して高速に起動できることが開示されている。
【特許文献１】特開２００６−７９４６８号公報
【発明の開示】
【発明が解決しようとする課題】
【０００４】
しかし、特許文献１の従来技術においては、ＨＤＤ搭載モデルにのみこのような工夫が可能である。また、特に、製品購入後、初めて交流電源を本体に接続するときには、プログラムは処理速度の速い揮発性メモリに格納されているわけではないため、高速起動を行うことができないという問題がある。
【０００５】
本発明は、製品購入後、初めて交流電源を本体に接続する際も高速に起動することができる情報処理装置及び情報処理方法を提供することを目的とする。
【課題を解決するための手段】
【０００６】
この課題を解決するための一実施形態として、外部から交流電流が供給されると電圧を出力する電源部（１４）と、不揮発性メモリ（１２）と、揮発性メモリ（１３）と、前記不揮発性メモリと前記揮発性メモリとが接続され、前記電源部から前記電圧が供給されると、前記不揮発性メモリから前記揮発性メモリへプログラムを転送するべく制御する制御部（１１）を具備することを特徴とする情報処理装置を提供する。
【発明の効果】
【０００７】
製品を購入した直後に交流電源を本体に接続するだけで自動的にプログラムが揮発性メモリに複写されるため、その後、電源スイッチを投入すると高速に起動することができる。
【発明を実施するための最良の形態】
【０００８】
以下、この発明の実施の形態について図面を参照して詳細に説明する。
【０００９】
＜本発明の一実施形態に係る情報処理装置＞
（基本的構成と動作）
図１は、本発明の一実施形態に係る情報処理装置の基本的な構成の一例を示すブロック図である。図２は、本発明の一実施形態に係る情報処理装置の電源投入時の基本的な動作の一例を示すフローチャートである。なお、以下の図２、図４、図５のフローチャートの各ステップは、回路ブロックに置き換えることができ、従って、各フローチャートのステップは、全てブロックに定義しなおすことが可能である。
【００１０】
本発明の一実施形態に係る情報処理装置１は、その基本構成を示すもので、図１に示すように、制御部１１と、制御部１１に接続されるフラッシュメモリやＨＤＤ（Hard Disc Driver）等の不揮発性メモリ１２と、制御部１１に接続されるＤＲＡＭ（Dynamic Random Access Memory）等の揮発性メモリ１３を有している。更に、情報処理装置１は、制御部１１に接続されるパワースイッチ１５と、制御部１１に電源を供給する主電源１４と、主電源１４に接続されるＡＣプラグ１６を有している。
【００１１】
このような構成を有する情報処理装置１は、購入直後に以下のような動作を行なうものである。すなわち、図２のフローチャートに示すように、初めに、ユーザがＡＣプラグ１６を図示しないＡＣコンセントに接続する（ステップＳ１１）。これにより、電源部１４に交流電圧が印加されて電源部１４がオンする（ステップＳ１２）。そして、電源部１４により、この交流電圧は一例として直流電源に変換されて制御部１１に供給されることで、制御部１１が起動する（ステップＳ１３）。
【００１２】
制御部１１は、不揮発性メモリ１２に格納されているデータと供にブートプログラムバイオス（BIOS）等の起動プログラムを読み出す。そして、この起動プログラムに従って、不揮発性メモリ１２からＯＳ（Operation System）等のプログラム等を読み出し、処理速度が高速な揮発性メモリ１３へ複写し展開する（ステップＳ１４）。
【００１３】
その後、ユーザがパワースイッチ１５等を押下すると、処理速度が高速な揮発性メモリ１３に格納されたＯＳ（Operation System）等のプログラム等を動作させる。これにより、ユーザは、情報処理装置のＡＣプラグを装着することで、その後、パワースイッチ１５を押下することで、高速にＯＳ等のプログラムを立ち上げることが可能となる。
【００１４】
（一実施形態の構成）
次に、本発明の一実施形態であるより詳細な情報処理装置を図面を用いて以下に説明する。図３は、本発明の一実施形態に係る情報処理装置の構成の一例を示すブロック図である。図４は、本発明の一実施形態に係る情報処理装置の電源投入時のマイコン部（第１制御部）の動作の一例を示すフローチャートである。図５は、本発明の一実施形態に係る情報処理装置の電源投入時のＣＰＵ部（第２制御部）の動作の一例を示すフローチャートである。図６は、本発明の一実施形態に係る情報処理装置の電源投入時の一例を示すタイミングチャートである。
【００１５】
本発明の一実施形態である情報処理装置１’は、図３に示すように、第１制御部であるマイコン１１と、第２制御部であるＣＰＵ１１−２と、ＣＰＵ１１−２に接続されているフラッシュメモリやＨＤＤ（Hard Disc Driver）等の不揮発性メモリ１２と、ＣＰＵ１１−２に接続されるＤＲＡＭ（Dynamic Random Access Memory）等の揮発性メモリ１３を有している。このマイコン１１は、ＡＣ電源を接続しているときに基本的に常時動作するものである。しかし、マイコン１１は、タイマや割り込みにより省電力動作と通常動作を行き来するような実装も好適である。
【００１６】
また、マイコン１１とＣＰＵ１１−２は、たとえば、ＵＡＲＴ（Universal Asynchronous Receiver Transceiver）やＩ／Ｏポートなどのペリフェラルを介して、情報交換可能である。
【００１７】
更に、情報処理装置１’は、マイコン１１に接続されるパワースイッチ１５と、リモコン受光部１３２と、マイコン１１に通信経路で接像されているＩ／Ｆ部１８を有しており、ユーザからの操作信号を受け付けることができる。
【００１８】
更に、情報処理装置１’は、ＡＣコンセントに挿入可能なＡＣプラグ１６が接続されＣＰＵ１１−２、不揮発性メモリ１２、Ｉ／Ｆ部１８に電源を供給する主電源部１４と、ＡＣ電源が接続されているときには常に出力を出しており、ＡＣコンセントに挿入可能なＡＣプラグ１６が接続されマイコン１１に電源を供給する常時電源部１４−３と、ＡＣコンセントに挿入可能なＡＣプラグ１６が接続され揮発性メモリ１３に電源を供給するメモリ用電源部１４−２を有している。ここで、図３中の破線は、各電源部から各部への電源の供給を意味している。
【００１９】
また、各電源部１４，１４−２，１４−３は、図３において独立しているが、実装によっては、主電源１４やメモリ用電源部１４−２を常時電源１４−３から分岐させて構成することも好適である。
【００２０】
（動作）
・用語
以下に、この情報処理装置１’の動作を図４及び図５のフローチャートを用いて説明するが、初めにここで使用される用語のいくつかを以下に定義する。
【００２１】
［コールドスタート］ＣＰＵ１１−２が動作し始めた時点で、揮発性メモリ１３内のプログラムを一切使用しないで起動するモードである。具体的には、ＣＰＵ１１−２は不揮発性メモリ１２内のプログラムから実行を開始し、場合によっては、不揮発性メモリ１２内のプログラムやデータを揮発性メモリ１３内にコピー・展開し、それを使用して動作する。
【００２２】
［スタンバイ状態］ＣＰＵ１１−２、揮発性メモリ１３、各種ペリフェラル等のＩ／Ｆ部１８などへ給電する主電源１４をオフに保つことにより、動作時よりも省電力を実現しつつ、揮発性メモリ１３と場合によっては図示しないメモリコントローラへ給電するメモリ用電源１４−２をオン状態に保つことにより揮発性メモリ１３の内容を保持するモードである。
【００２３】
例えば、不揮発性メモリ１２にＤＤＲ ＳＲＡＭを使用する場合には、スタンバイ状態へ移行前に、不揮発性メモリ１２にセルフリフレッシュコマンドを送る等、スタンバイ状態に入る前には不揮発性メモリ１２の内容を保持するための適切な処理がなされる必要がある。
【００２４】
［ホットスタート］ＣＰＵ１１−２が動作し始めた時点での、揮発性メモリ１３内のデータを使用して起動するモードである。すなわち、揮発性メモリ１３内のデータが保持されているスタンバイ状態からの起動である場合のみ適用可能である。不揮発性メモリ１２から揮発性メモリ１３へのプログラムやデータのコピー・展開などにかかる時間が不要であるため、コールドスタート時より高速に起動可能である。
【００２５】
・動作処理
以下に、この情報処理装置１’の起動動作を図４及び図５のフローチャートを用いて説明する。ここでは、第１制御部であるマイコン１１と、第２制御部であるＣＰＵ１１−２の動作を特定する図４のフローチャートと図５のフローチャートを説明することで、この情報処理装置１’の起動動作を説明する。
【００２６】
初めに、図４のフローチャートにおいて、ユーザがＡＣプラグ１６を図示しないＡＣコンセントに挿入することで、常時電源１４−３をオンする。これにより、マイコン１１は、図４のフローチャートが示す動作を行なうプログラムを実行する（ステップＳ２１）。これによりマイコン１１は、メモリ用電源１４−２と主電源１４をオンする（ステップＳ２２）。
【００２７】
次に、マイコン１１が、ＣＰＵ１１−２から揮発性メモリ１３中のプログラムの有無「つまり、ホットスタートなのか、コールドスタートなのか」を聞かれたかどうかを判断する（ステップＳ２３）。これを聞かれた場合は、マイコン１１は、ＣＰＵ１１−２に揮発性メモリ中のプログラムの有無を通信経路を介して通知する（ステップＳ２４）。Ｉ／Ｏポートを使用する場合には、マイコンが出力している信号を読むだけでよい。
【００２８】
次に、マイコン１１が、ＣＰＵ１１−２から、起動するかスタンバイに入るかを聞かれたかどうかを判断する（ステップＳ２５）。これを聞かれた場合は、マイコン１１は、リモコンＲやパワースイッチ１５等のキー入力があれば、起動すると判断し、なければスタンバイと判断する（ステップＳ２６）。そして、この判断結果をマイコン１１からＣＰＵ１１−２に通知する（ステップＳ２７）。
【００２９】
更に、マイコン１１は、ＣＰＵ１１−２からスタンバイに入る要求があったかかどうかを判断する（ステップＳ２８）。スタンバイに入る要求があれば、マイコン１１は、主電源１４をオフする一方で、メモリ用電源１４−２はオン状態を維持するべく制御信号を出力する（ステップＳ２９）。
【００３０】
その後、マイコン１１は、リモコンＲやパワースイッチ１５等のキー入力をチェックし、スタンバイ復帰の必要がないかどうかを判断する（ステップＳ３０）。マイコン１１が、リモコンＲのスイッチ等の操作から操作信号を受ける等して、スタンバイ復帰の必要ありと判断すれば（ステップＳ３１）、再び、主電源１４をオンする（このとき、メモリ用電源１４−２もオンの状態を維持する）（ステップＳ３２）。
【００３１】
更に、マイコン１１は、ＣＰＵ１１−２から揮発性メモリ１３中のプログラムの有無を聞かれたかどうかを判断する（ステップＳ３３）。聞かれたのであれば、ＣＰＵ１１−２に、揮発性メモリ１３中のプログラムの有無を通知する（ステップＳ３４）。マイコン１１は、常時電源１４−３から電源が供給されている限りこのような動作を繰り返す。
【００３２】
次に、第２制御部であるＣＰＵ１１−２の動作について、図５のフローチャートを用いて以下に説明する。初めに、上述したように、マイコン１１の制御により、主電源１４がオンとされることで、主電源１４から電源がＣＰＵ１１−２に供給されていれば、ＣＰＵ１１−２は、例えば図５のフローチャートが示すような動作を行なう例えば不揮発性メモリ１２に格納されたプログラムを実行する（ステップＳ４１）。
【００３３】
これにより、ＣＰＵ１１−２は初めに、揮発性メモリ１３中にプログラムが既に格納されているかどうかをマイコン１１に確認する（ステップＳ４２）。マイコン１１がＣＰＵ１１−２に、揮発性メモリ１３中にプログラムがまだ格納されていない（コールドスタート）と通知してくれば（ステップＳ４３）、ＣＰＵ１１−２は、不揮発性メモリ１２内のＯＳ（Operation System）等のプログラムやデータを揮発性メモリ１３にコピーし展開する（ステップＳ４４）。もし、ステップＳ４３でマイコン１１がＣＰＵ１１−２に、揮発性メモリ１３中にプログラムが既に格納されている（ホットスタート）と通知してくればこの工程は行われない。
【００３４】
そして、ＣＰＵ１１−２は、この後、起動するかスタンバイに入るのかを、マイコン１１に確認する（ステップＳ４５）。これに対して、マイコン１１はＣＰＵ１１−２に、スタンバイすると指示していれば（ステップＳ４６）、ＣＰＵ１１−２は、不揮発性メモリ１２
及び揮発性メモリ１３をスタンバイ状態用に設定する（ステップＳ４７）。すなわち、ＣＰＵ１１−２は、マイコン１１にスタンバイ状態に入ることを通信経路を介して要求し、先に図４のフローチャートのステップＳ９で説明したように、マイコン１１に主電源１４をオフにしてもらう（ステップＳ４８）。この結果、情報処理装置１’は、スタンバイ状態となって待機することとなる。
【００３５】
なお、ここでは、通信を使用した場合を例に出したが、Ｉ／Ｏポートを使用する場合には、起動の必要性が出た時点でＩ／Ｏをそれを意味するように設定し、この段階では即座に次のステップに移動して良い。
【００３６】
また、ステップＳ４６で、マイコン１１はＣＰＵ１１−２に起動すると指示している場合は、ＣＰＵ１１−２は、揮発性メモリ１３中に格納されたＯＳ等のプログラム等を起動する（ステップＳ４９）。この結果、情報処理装置１’は、ＯＳ等が起動して動作状態となる。そして、ＣＰＵ１１−２は、パワースイッチ１５やリモコンＲのパワースイッチがオフ等と操作されたか否かを常に確認しつづける（ステップＳ５０）。そして、電源オフを指示する操作信号を受け、電源オフする必要が発生しないかぎり（ステップＳ５１）、この動作状態を継続する。そして、電源オフする必要が発生すると、ステップＳ４７に進み、スタンバイ状態に移行する。
【００３７】
以上、詳細に説明したように、図３に示した複数の制御部１１、１１−２を用いた詳細な実施形態においては、マイコン１１が各部への電源供給を制御することで、スタンバイ状態を実現している。
【００３８】
また、上述したように、ＡＣコンセントにＡＣプラグ１６を挿入しただけで、ステップＳ４４に示すように、不揮発性メモリ１２内のプログラムが揮発性メモリ１３にコピーされ展開される。これにより、その後、ユーザがパワースイッチ１５等を操作することで直ちにＯＳ等を起動することが可能となるものである。
【００３９】
この様子を図６のタイミングチャートで説明する。図６は、本発明の一実施形態に係る情報処理装置の電源投入時の一例を示すタイミングチャートである。すなわち、本発明の一実施形態に係る情報処理装置１’において、ＡＣプラグ１６が図示しないＡＣコンセントに挿入されると（ステップＳ６１）、上述したように、このタイミングで、不揮発性メモリ１２から揮発性メモリ１３に、ＯＳ等のプログラムやデータが複写されるが、この時間を仮に約４秒とする（ステップＳ６２）。
【００４０】
その後、ユーザは、パワースイッチ１５等を押下して電源が投入されると（ステップＳ６３）、本発明の一実施形態に係る情報処理装置１’においては、既に、揮発性メモリ１３にプログラムが複写されているため、ＯＳ等が起動する時間のみ、ここでは、パワースイッチ１５の押下後、仮に『約４秒後』にシステムは起動するものとする（ステップＳ６４）。
【００４１】
一方、本発明の一実施形態に係る情報処理装置１’のようなＡＣ電源投入に伴う自動的なプログラムの複写処理が行なわれない場合は、パワースイッチ１５の押下後、揮発性メモリ１３にプログラムが複写された後にＯＳ等が起動するので、仮に『約８秒後』にシステムは起動するものとする（ステップＳ６５）。従って、本発明の一実施形態に係る自動的なプログラムの複写処理により、約４秒の起動時間の短縮が図れたこととなる。
【００４２】
また、更に、他の実施形態として、省電力のモードとして、スタンバイモードだけではなく、メモリ用電源１４−２と主電源１４の両方をオフにする完全待機モードが好適である。更に、メモリ用電源１４−２と主電源１４の両方をオンにしたままにしておくアクティブスタンバイモード等と他の省電力モードとの併用を選択的に行なうことが好適である。
【００４３】
＜本発明の一実施形態に係る受信装置＞
次に、本発明の一実施形態に係る情報処理装置として、デジタルテレビジョン等の受信装置の例を図７を用いて詳細に説明する。図７は、本発明の一実施形態に係る情報処理装置である受信装置の構成の一例を示すブロック図である。
【００４４】
（受信装置の構成と動作）
図７の受信装置１０は、デジタルテレビジョン装置であり、制御部１３０は全体の動作を司るべくデータバスを介して各部に接続されている。
【００４５】
また、図７の受信装置１０は、再生側を構成するＭＰＥＧデコーダ部１１６と、装置本体の動作を制御する制御部１３０とを主たる構成要素としている。受信装置１０は、入力側のセレクタ１１４と出力側のセレクタ１１９とを有しており、入力側のセレクタ１１４には、ＬＡＮ等やメール機能をもった通信部１１１と、いわゆる衛星放送（ＢＳ／ＣＳ）チューナ部１１２と、いわゆる地上波チューナ部１１３とが接続される。また、ＢＳ／ＣＳチューナ部１１２には衛星アンテナが、地上波チューナ部１１３には地上波アンテナが接続されている。
【００４６】
更に、受信装置１０は、ＭＰＥＧデコーダ部１１６、分離部１１７、後述する地域情報管理部１３４、地域情報を格納する記憶部１３５を有している。これらの各部は、データバスを介して制御部１３０に接続されている。更に、セレクタ部１１９の出力は、表示部１２１に接続され、外部装置との通信を行うインタフェース部１２２を介して外部装置に供給される。
【００４７】
更に、受信装置１０は、データバスを介して制御部１３０に接続され、ユーザの操作やリモコンＲの操作を受ける操作部１３２を有している。ここで、リモコンＲは、受信装置１０の本体に設けられる操作部１３２とほぼ同等の操作を可能とするものであり、チューナの操作等、各種設定が可能である。
【００４８】
このデジタルテレビジョンである受信装置１０は、放送信号が受信アンテナから各チューナ部１１２，１１３に入力され、ここで選局が行われる。選局された映像音声信号は、ＭＰＥＧデコーダ部１１６等でデコード処理され、音声映像処理部１１８に供給される。
【００４９】
また選局及び入力切換を行うべく、リモコンＲからの操作信号が操作部１３２を介して制御部１３０に供給され、この結果、ＭＰＥＧデコーダ部１１６や音声映像処理部１１８が制御される。音声映像処理部１１８で処理された映像信号がセレクタ部１１９を介して表示部１２１に表示される。また、音声信号も図示しないスピーカ等に供給される。
【００５０】
このような構成の情報処理装置である受信装置１０は、図７に示すように、図１または図３に示した電源ユニット１，１’を設けることが好適である。このとき、制御部１３０は、図１の制御部１１または図３の制御部１１−２に該当する。
【００５１】
この受信装置１０は、このような電源ユニット１，１’を設けているため、上述したように、ＡＣプラグを図示しないコンセントに挿入することで、その後、操作部１３２の電源スイッチを押下すると、高速でＯＳ等のプログラムを起動することが可能となる。
【００５２】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００５３】
【図１】本発明の一実施形態に係る情報処理装置の基本的な構成の一例を示すブロック図。
【図２】本発明の一実施形態に係る情報処理装置の電源投入時の基本的な動作の一例を示すフローチャート。
【図３】本発明の一実施形態に係る情報処理装置の構成の一例を示すブロック図。
【図４】本発明の一実施形態に係る情報処理装置の電源投入時のマイコン部（第１制御部）の動作の一例を示すフローチャート。
【図５】本発明の一実施形態に係る情報処理装置の電源投入時のＣＰＵ部（第２制御部）の動作の一例を示すフローチャート。
【図６】本発明の一実施形態に係る情報処理装置の電源投入時の一例を示すタイミングチャート。
【図７】本発明の一実施形態に係る情報処理装置である受信装置の構成の一例を示すブロック図。
【符号の説明】
【００５４】
１，１’…情報処理装置、１１…マイコン、１１−２…ＣＰＵ、１２…不揮発性メモリ、１３…揮発性メモリ、１４…主電源、１４−２…メモリ用電源、１４−３…常時電源、１５…パワースイッチ、１６…ＡＣプラグ、１８…Ｉ／Ｆ部。
【図１】
2008140027.tif 000003
【図２】
2008140027.tif 000004
【図３】
2008140027.tif 000005
【図４】
2008140027.tif 000006
【図５】
2008140027.tif 000007
【図６】
2008140027.tif 000008
【図７】
2008140027.tif 000009